(57)【要約】【課題】防犯性と意匠性の向上が図れる防犯用窓ガラス清掃装置を提供する。【解決手段】窓ガラス2の一方の側辺近くにロープ隠し用部材21Cを設け、清掃具11の一端がロープ隠し用部材21Cよりも窓ガラス2の反対側に突出し、連結ロープ17の一端が清掃具11の突出部に連結されて、連結ロープ17がロープ隠し用部材21Cの外側に配置される。【選択図】図４
2016060548.tif 000002
【特許請求の範囲】
【請求項１】
乗り場側のエレベータードアと乗りかご側のエレベータードアに防犯用窓ガラスがそれぞれ設置されて、乗りかごが乗り場に停止しているときに、乗りかご内の様子が前記２枚の防犯用窓ガラスを通して乗り場側から見えるエレベーターの前記防犯用窓ガラスを清掃する防犯用窓ガラス清掃装置であって、
前記乗り場側のエレベータードアに設置された前記防犯用窓ガラスの前記乗りかごと対応する裏面に接触可能に水平状態で配置された清掃具と、
前記エレベータードアに取り付けられたプーリと、
一端が前記清掃具に連結されて、途中部分が前記プーリに巻き掛けられ、他端が固定部に連結された連結ロープを備え、
前記エレベータードアの開閉動作に連動して前記連結ロープを走行させて、前記清掃具が前記防犯用窓ガラスの裏面に接触した状態で上下移動して前記防犯用窓ガラスの清掃を行うエレベーターの防犯用窓ガラス清掃装置において、
前記防犯用窓ガラスの一方の側辺近くにロープ隠し用部材を設け、前記清掃具の一端が前記ロープ隠し用部材を乗り越えて前記防犯用窓ガラスの反対側に突出し、前記連結ロープの一端が前記清掃具の前記突出部に連結されて、前記連結ロープが前記ロープ隠し用部材によって隠されることを特徴とするエレベーターの防犯用窓ガラス清掃装置。
【請求項２】
請求項１に記載のエレベーターの防犯用窓ガラス清掃装置において、
前記清掃具の上下移動をガイドするガイド部材が前記ロープ隠し用部材を兼ねていることを特徴とするエレベーターの防犯用窓ガラス清掃装置。
【請求項３】
請求項２に記載のエレベーターの防犯用窓ガラス清掃装置において、
前記ロープ隠し用部材を兼ねた前記ガイド部材上を転動するローラが前記清掃具の突出部に連結されていることを特徴とするエレベーターの防犯用窓ガラス清掃装置。
【請求項４】
請求項１ないし３のいずれか１項に記載のエレベーターの防犯用窓ガラス清掃装置において、
前記防犯用窓ガラス清掃装置を構成する構成部品をエレベータードア開放部に集約したことを特徴とするエレベーターの防犯用窓ガラス清掃装置。
【請求項５】
請求項１ないし４のいずれか１項に記載のエレベーターの防犯用窓ガラス清掃装置において、
前記連結ロープの暴れ防止機構を備えたことを特徴とするエレベーターの防犯用窓ガラス清掃装置。
【発明の詳細な説明】
【技術分野】
【０００１】
本発明は、乗り場側あるいは（および）乗りかご側のエレベータードアに設置された防犯用窓ガラス（以下、窓ガラスと略記することもある）を清掃するエレベーターの窓ガラス清掃装置に関する。
【背景技術】
【０００２】
乗り場側のエレベータードアと乗りかご側のエレベータードアには、防犯のためにそれぞれ窓ガラスが設置されており、乗りかごが乗り場に停止しているときに、乗りかご内の様子が２枚の窓ガラスを通して乗り場側から見えるようになっている。
【０００３】
このエレベータードアに設置されている窓ガラスの汚れを除去するために、窓ガラスの清掃が行われている。例えば乗り場側のエレベータードアに設置されている窓ガラスの窓ガラスの表面（乗り場と対応する側の面）を清掃する際には、作業員が乗り場に立ち清掃用ウェスを用いて清掃できる。
【０００４】
一方、窓ガラスの裏面（乗りかごと対応する側の面）を清掃する際には、作業員がエレベーターのかご上に乗り込み、窓ガラスを清掃する階位置までエレベーターを移動して、エレベーターを停止させる。そして、乗りかご上の作業員が清掃用ウェスを用いて窓ガラスの裏面の汚れを落す。
【０００５】
清掃が終わると次の階までエレベーターを移動して、同様に窓ガラスの裏面の清掃を行い、このようにして順次全階の窓ガラスの清掃を行っていた。
しかし、この従来の窓ガラスの清掃方法では、全階の窓ガラスを清掃するためには多大の時間と労力がかかるという問題があった。
【０００６】
このような問題を解消するために、従来では特開平１０−２５８９７８号公報（特許文献１）には、次のような構成のエレベーターの窓ガラス清掃装置が提案されている。図６ならびに図７は、この提案されたエレベーターの窓ガラス清掃装置を説明するための乗りかご側から見た概略構成図である。
【０００７】
このエレベーターの窓ガラス清掃装置は、例えばブラシなどからなる清掃具１１をエレベータードア１の窓ガラス２の裏面に接触可能に水平状態に配置して、エレベータードア１の開閉動作に連動して、清掃具１１を窓ガラス２に対して相対的に移動させて、窓ガラス２を清掃するものである。
【０００８】
このエレベーターの窓ガラス清掃装置について、図６を用いて具体的に説明する。
一対のガイド部材２１が、窓ガラス２の両側に相対して上下方向に長くなるように固定され、このガイド部材２１の間に清掃具１１が窓ガラス２の裏面に接触した状態で水平に配置されている。
【０００９】
エレベータードア１の上部には駆動プーリ１８が水平軸回りに取り付けられており、連結ロープ１７の一端が清掃具１１に固定され、連結ロープ１７の途中部分が駆動プーリ１８に架け渡され、連結ロープ１７の他端がエレベータードア１の開方向端部側の戸袋（図示せず）の奥側、すなわちドアポケット３の奥側に設けられたロープ固定部２０ｂに取り付けられている。
【００１０】
図６中の実線で示しているエレベータードア１、窓ガラス２、清掃具１１、連結ロープ１７ならびに駆動プーリ１８は、エレベータードア１が閉方向端部にあるときの閉じ状態を示している。また、点線で示している前述の各部材は、エレベータードア１が開方向端部にあるときの開き状態を示している。
【００１１】
図６中の実線で示しているようにエレベータードア１が閉方向端部にあるとき、駆動プーリ１８とロープ固定部２０ｂの位置関係から、連結ロープ１７の水平部分の長さは長く垂直部分の長さは短くなっており、そのため清掃具１１は窓ガラス２の上部と接触した位置で停止している。
【００１２】
エレベータードア１が点線で示す方向に開くと、駆動プーリ１８も一緒に移動し、それに伴って連結ロープ１７の垂直部分の長さが徐々に長くなり、清掃具１１はその自重で窓ガラス２の裏面に沿って下降し、エレベータードア１が開方向端部に到達したときには、清掃具１１は窓ガラス２（ガイド部材２１）の下部にある。
【００１３】
エレベータードア１を閉じるときには、清掃具１１は反対の方向に移動し、窓ガラス２の裏面に沿って上昇する。
このようにエレベータードア１の開閉動作に１対１で連動して連結ロープ１７を走行させて、清掃具１１が窓ガラス２の裏面に接触した状態で上下移動し、窓ガラス２の清掃を自動的に行うことができる。
【００１４】
図７は他の構成の窓ガラス清掃装置を説明するための概略構成図であり、エレベータードア１が閉じた状態を示している。
この窓ガラス清掃装置の図６で示した窓ガラス清掃装置と相違する第１の点は、図６で示した窓ガラス清掃装置はエレベータードア１が片開きであるのに対して、図７で示した窓ガラス清掃装置はエレベータードア１が両開きになっている点である。
【００１５】
また相違する第２の点は、従動プーリ１９がドアポケット３の奥側に設けられており、連結ロープ１７の一端が清掃具１１に固定され、連結ロープ１７の途中部分が駆動プーリ１８ならびに従動プーリ１９に架け渡され、連結ロープ１７の他端が駆動プーリ１８の上部に設けられたロープ固定部２０ａに取り付けられている点である。
【００１６】
エレベータードア１の開閉動作に連動して連結ロープ１７を走行させ、清掃具１１が窓ガラス２の裏面に接触した状態で上下移動し、窓ガラス２の清掃を自動的に行うことは、図６で示した窓ガラス清掃装置と同じである。
【先行技術文献】
【特許文献】
【００１７】
【特許文献１】特開平１０−２５８９７８号公報    （図３、図４）
【発明の概要】
【発明が解決しようとする課題】
【００１８】
しかし、前述した特許文献１に開示されている窓ガラス清掃装置では、図６の点線で示すように清掃具１１を上下動する連結ロープ１７の一部が、窓ガラス２の中央部で上下方向に垂れ下がって見えて、視界的に連結ロープ１７が邪魔になり、見難くなるから、防犯上ならびに意匠上に問題があった。この問題は、図７に示す窓ガラス清掃装置においても同様に生じる問題である。
【００１９】
さらに、図６に示す窓ガラス清掃装置では、ドアポケット３の奥側にロープ固定部２０ｂが設けられており、連結ロープ１７の端部をそのロープ固定部２０ｂに連結しなければならない。
【００２０】
また、図７に示す窓ガラス清掃装置では、ドアポケット３の奥側に従動プーリ１９が設置されているから、連結ロープ１７の一部をその従動プーリ１９に架け渡さなければならない。
そのため作業スペースが確保し難く、奥まった狭い場所での窓ガラス清掃装置自体の機能維持のための保守、メンテナンスとなり、作業性が悪いという問題もあった。
【００２１】
本発明は、このような従来技術の問題を解決するためになされたもので、清掃具を上下動するための連結ロープの一部が窓ガラスから見えることがなく、防犯性ならびに意匠性の向上が図れ、また、窓ガラス清掃装置自体の保守、メンテナンスがし易く、作業性の向上が図れるエレベーターの防犯用窓ガラス清掃装置を提供することを目的としている。
【課題を解決するための手段】
【００２２】
前記目的を達成するために本発明は、乗り場側のエレベータードアと乗りかご側のエレベータードアに防犯用窓ガラスがそれぞれ設置されて、乗りかごが乗り場に停止しているときに、乗りかご内の様子が前記２枚の防犯用窓ガラスを通して乗り場側から見えるエレベーターの前記防犯用窓ガラスを清掃する防犯用窓ガラス清掃装置であって、前記乗り場側のエレベータードアに設置された前記防犯用窓ガラスの前記乗りかごと対応する裏面に接触可能に水平状態で配置された清掃具と、前記エレベータードアに取り付けられたプーリと、一端が前記清掃具に連結されて、途中部分が前記プーリに巻き掛けられ、他端が固定部に連結された連結ロープを備え、前記エレベータードアの開閉動作に連動して前記連結ロープを走行させて、前記清掃具が前記防犯用窓ガラスの裏面に接触した状態で上下移動して前記防犯用窓ガラスの清掃を行うエレベーターの防犯用窓ガラス清掃装置において、前記防犯用窓ガラスの一方の側辺近くにロープ隠し用部材を設け、前記清掃具の一端が前記ロープ隠し用部材を乗り越えて前記防犯用窓ガラスの反対側に突出し、前記連結ロープの一端が前記清掃具の前記突出部に連結されて、前記連結ロープが前記ロープ隠し用部材によって隠されることを特徴とするものである。
【発明の効果】
【００２３】
本発明は前述のような構成になっており、清掃具を上下動するための連結ロープの一部が窓ガラスから見えることがなく、防犯性ならびに意匠性の向上が図れ、また、窓ガラス清掃装置自体の保守、メンテナンスがし易く、作業性の向上が図れるエレベーターの防犯用窓ガラス清掃装置の提供が可能となる。
【図面の簡単な説明】
【００２４】
【図１】本発明の第１実施形態に係るエレベーターの窓ガラス清掃装置のエレベータードアが閉じている状態を示す乗りかご側から視た概略構成図である。
【図２】その窓ガラス清掃装置のエレベータードアが開いている状態を示す乗りかご側から視た概略構成図である。
【図３】図１Ａ−Ａ線上の拡大断面図である。
【図４】本発明の第２実施形態に係るエレベーターの窓ガラス清掃装置のエレベータードアが閉じている状態を示す乗りかご側から視た概略構成図である。
【図５】その窓ガラス清掃装置のエレベータードアが開いている状態を示す乗りかご側から視た概略構成図である。
【図６】従来提案された窓ガラス清掃装置のエレベータードアが閉じている状態を示す乗りかご側から視た概略構成図である。
【図７】従来提案された他の構成における窓ガラス清掃装置のエレベータードアが閉じている状態を示す乗りかご側から視た概略構成図である。
【発明を実施するための形態】
【００２５】
図示していないが本発明の実施形態に係るエレベーターにおいても、乗り場側のエレベータードアと乗りかご側のエレベータードアには、防犯のために同一形状で、おなじ広さの窓ガラスがそれぞれ設置されており、乗りかごが乗り場に停止しているときに、乗りかご内の様子が２枚の窓ガラスを通して乗り場側から見えるようになっている。
【００２６】
以下、本発明の各実施形態について図面を用いて説明する。図１は本発明の第１実施形態に係るエレベーターの窓ガラス清掃装置のエレベータードアが閉じている状態を示す乗りかご側から視た概略構成図、図２はそのエレベータードアが開いている状態を示す乗りかご側から視た概略構成図、図３は図１Ａ−Ａ線上の拡大断面図である。
【００２７】
本実施形態に係るエレベーターの窓ガラス清掃装置１０（図１、図３参照）も、乗り場側に設置されたエレベータードア１の窓ガラス２の裏面（乗りかごと対応している側の面）に清掃具１１が接触可能に配置されており、エレベータードア１の開閉動作に１対１で連動して、清掃具１１を窓ガラス２に対して相対的に上下移動させて、窓ガラス２の裏面を清掃するものである。
【００２８】
図２ならびに図３に示すように、長方形をした窓ガラス２の一方の側辺近くにガイド部材２１ａが設置され、窓ガラス２の他方の側辺近くに２本のガイド部材２１ｂとガイド部材２１ｃが所定の間隔をおいて設置されている。
【００２９】
従って、ガイド部材２１ａと、ガイド部材２１ｂならびにガイド部材２１ｃの対が窓ガラス２の両側に相対して垂直（上下）方向に長くなるように平行に設置されており、ガイド部材２１ａからガイド部材２１ｃにかけて清掃具１１が水平状態に配置されている。
なお、ガイド部材２１ａ、２１ｂ、２１ｃの長さはほぼ同寸であって、共に窓ガラス２の長さよりも若干長く設計されている。
【００３０】
清掃具１１は図３に示すように、細長い保持板１２の窓ガラス２と対向する面に例えばブラシなどからなる棒状の清掃部材１３を固定したものから構成されている。清掃具１１（保持板１２）の一方の端部にはスライドシュー１４が取り付けられており、スライドシュー１４はガイド部材２１ａの長手方向に沿って摺動する。
【００３１】
また、清掃具１１（保持板１２）の他方の端部は図３に示すように、ガイド部材２１ｃを乗り越えて窓ガラス２の反対方向に突出しており、その突出部にスライドシュー１４と共働して清掃具１１の水平状態を保ちながら、上下方向に円滑に移動させるために吊り合いローラ１５と錘ローラ１６が設けられている。吊り合いローラ１５がガイド部材２１ｂの上を転動し、錘ローラ１６がガイド部材２１ｃの上を転動するようになっている。
【００３２】
本実施形態の場合、ガイド部材２１ａとガイド部材２１ｃは断面Ｌ字形をしており、ガイド部材２１ｂは断面Ｔ字形をしている。このガイド部材２１ｂは、錘ローラ１６のガイドとしても寄与している。
【００３３】
本実施形態は図２に示すように、エレベータードア１が両開きのエレベーターになっており、図面に向かって右側の第１エレベータードア１（１）の上部には第１駆動プーリ１８（１）が水平軸回りに設置され、さらに第１駆動プーリ１８（１）の上部には第１ロープ固定部２０（１）が取り付けられている。
【００３４】
一方、図面に向かって左側の第２エレベータードア１（２）の上部には第２駆動プーリ１８（２）が水平軸回りに設置され、さらに第２駆動プーリ１８（２）の上部には第２ロープ固定部２０（２）が取り付けられている。
【００３５】
第１エレベータードア１（１）も第２エレベータードア１（２）も図３に示すように、窓ガラス２の一方の側部にはそれよりも長いガイド部材２１ｃが窓ガラス２の当該側部を覆うように延設されており、このガイド部材２１ｃがロープ隠し部材を兼ねている。そのガイド部材２１ｃとそれの外側のガイド部材２１ｂの間に錘ローラ１６が配置されている。
【００３６】
図２に示すように、第１エレベータードア１（１）側の第１錘ローラ１６（１）の回転軸部には、第１ロープ接続部材２３（１）が取り付けられ、その第１連結ロープ接続部材２３（１）には第１ロープ１７（１）の一端が接続されている。
【００３７】
第１連結ロープ１７（１）はガイド部材２１ｃの上方の第１エレベータードア１（１）に設けられたロープ暴れ防止プーリ２２を経由し、第１エレベータードア１（１）の上部に開けられた貫通穴（図示せず）を通って、第１駆動プーリ１８（１）に掛け渡されて、第１連結ロープ１７（１）の他端が反対側の第２エレベータードア１（２）に設けられた第２ロープ固定部２０（２）に連結されている。
【００３８】
一方、第２エレベータードア１（２）側の第２錘ローラ１６（２）の回転軸部には、第２ロープ接続部材２３（２）が取り付けられ、その第２ロープ接続部材２３（２）には第２ロープ１７（２）の一端が接続されている。
【００３９】
第２連結ロープ１７（２）はガイド部材２１ｃの上方の第２エレベータードア１（２）に設けられたロープ暴れ防止プーリ２２を経由し、第２エレベータードア１（２）の上部に開けられた貫通穴（図示せず）を通って、第２駆動プーリ１８（２）に掛け渡されて、第２連結ロープ１７（２）の他端が反対側の第１エレベータードア１（１）に設けられた第１ロープ固定部２０（１）に固定されている。従って、２本の連結ロープ１７はドアポケット３内の中央部においてクロスした状態になっている。
【００４０】
図１ならびに図２に示すように、エレベータードア１の開閉動作に伴って連結ロープ１７が走行し、それによって清掃部材１３が窓ガラス２の裏面に接触した状態で清掃具１１を上下移動させて、窓ガラス２の清掃を自動的に行うことができる。
【００４１】
図４は本発明の第２実施形態に係るエレベーターの窓ガラス清掃装置のエレベータードアが閉じている状態を示す乗りかご側から視た概略構成図、図５はそのエレベータードアが開いている状態を示す乗りかご側から視た概略構成図である。
【００４２】
本実施形態はエレベータードア１が片開きの例を示しており、図４に示すように、駆動プーリ１８がエレベータードア１の上部に水平軸回りに取り付けられ、ドアポケット３の内側のドア開放部４内にロープ固定部２０ｂが設けられている。
【００４３】
連結ロープ１７の一端がロープ接続部材２３を介して錘ローラ１６の回転軸部に連結され、さらに連結ロープ１７はロープ暴れ防止プーリ２２を経由し、エレベータードア１の上部に開けられた貫通穴（図示せず）を通って、駆動プーリ１８に掛け渡されて、連結ロープ１７の他端がロープ固定部２０ｂに連結されている。
【００４４】
この実施形態においても、エレベータードア１の開閉動作に伴って連結ロープ１７が走行し、それによって清掃部材１３が窓ガラス２の裏面に接触した状態で清掃具１１を上下移動させて、窓ガラス２の裏面の清掃を自動的に行うことができる。
【００４５】
前記第１ならびに第２実施形態は前述のような構造になっているため、図１ならびに図５に示すように清掃具１１が窓ガラス２の下部にあるとき、連結ロープ１７の清掃具１１と連結されている端部側はガイド部材２１ｃの外側、すなわちガイド部材２１ｃとガイド部材２１ｂの間に入り込んでいる。
【００４６】
そのためガイド部材２１ｃによって連結ロープ１７が隠されて、連結ロープ１７のどの部分も窓ガラス２から見えない状態になっている。よって視界的に連結ロープ１７が邪魔になり、見難くなるようなことがなく、防犯性ならびに意匠性の向上が図れる。
【００４７】
窓ガラス清掃装置１０の機能維持のための保守、メンテナンスの作業は、通常、エレベータードア１を閉じた状態で行うことが多い。
前記第１ならびに第２実施形態では図１ならびに図４に示すように、エレベータードア１が閉じた状態で、窓ガラス清掃装置１０の構成部品である清掃具１１、スライドシュー１４、吊り合いローラ１５、錘ローラ１６、連結ロープ１７、駆動プーリ１８、ロープ固定部２０ｂ、ガイド部材２１ａ，２１ｂ，２１ｃ、ロープ暴れ防止プーリ２２ならびにロープ接続部材２３などが、ドア開放部４内に納められた（集約された）構成となっている。そのため窓ガラス清掃装置自体の保守、メンテナンスがし易くなり、作業性の向上が図れる。
【００４８】
さらに前記第１ならびに第２実施形態では、連結ロープ１７の暴れ防止機構として、連結ロープ１７の一端側がロープ接続部材２３を介して錘ローラ１６に連結され、さらに連結ロープ１７の途中部分がロープ暴れ防止プーリ２２に掛けられているから、連結ロープ１７に所定の張力が付与されて、連結ロープ１７の安定した走行が確保される。
【００４９】
前記実施形態では窓ガラス清掃装置を乗り場側のエレベータードアに設置した場合について説明したが、乗りかご側のエレベータードアに窓ガラス清掃装置を設置する場合も同様の構造で取り付けられる。
【符号の説明】
【００５０】
１：エレベータードア
２：窓ガラス
３：ドアポケット
４：ドア開放部
１０：窓ガラス清掃装置
１１：清掃具
１２：保持板
１３：清掃部材
１４：スライドシュー
１５：吊り合いローラ
１６：錘ローラ
１７：連結ロープ
１８：駆動プーリ
２０：ロープ固定部
２１ａ，２１ｂ，２１ｃ：ガイド部材
２２：ロープ暴れ防止プーリ
２３：ロープ接続部材
【図１】
2016060548.tif 000003
【図２】
2016060548.tif 000004
【図３】
2016060548.tif 000005
【図４】
2016060548.tif 000006
【図５】
2016060548.tif 000007
【図６】
2016060548.tif 000008
【図７】
2016060548.tif 000009